(57)【要約】【課題】隣接する建築用パネル同士の間に目地を形成する建築パネルの取付構造において、建築用パネル同士の位置決めがしやすく、接合強度が高くて、施工途中のパネル安定性も高く、さらに目地部材の装着時の強度も十分に高い建築用パネル取付構造を提供する。【解決手段】建築用パネル取付構造は、やとい実部材１１と、目地部材１２とが、対向するように嵌め合わせ係合部１１ｄ、１２ｂを有しており、目地部材１２を目地溝１３より挿入して、目地部材１１の係合部１１ｄをやとい実部１２の係合部１２ｂに嵌合させて固定させている。【選択図】図１
2009191528.tif 000002
【特許請求の範囲】
【請求項１】
両側に実部が突設されたやとい実部材を施工下地に固定し、それぞれの実部に、隣接する建築用パネルのそれぞれの端部に形成された凹溝部を係合させて、上記やとい実部材の表面側で、かつ上記建築用パネルの隣接する端部間に目地溝を形成し、該目地溝に目地部材を装着してなる建築用パネル取付構造であって、
上記やとい実部材と、上記目地部材とは、対向するように嵌め合わせ係合部を有しており、上記目地部材を上記目地溝より挿入して、上記目地部材の上記係合部を上記やとい実部の対応した係合部に嵌合させて固定させたことを特徴とする建築用パネル取付構造。
【請求項２】
請求項１において、
上記やとい実部材は、上記目地部材の長さ寸法と略同一の長さ寸法に形成されている、建築用パネル取付構造。
【請求項３】
請求項１または２において、
上記やとい実部材は、上記建築用パネルの辺縁を固定する第１のやとい実部材と、該辺縁に直交する辺縁を固定する第２のやとい実部材とを組み合わせ、第１のやとい実部材と第２のやとい実部材とを直交する方向に配列させた構造にしている、建築用パネル取付構造。
【請求項４】
請求項１〜３のいずれか１項において、
上記嵌め合わせ係合部は、一方が突出部、他方がその突出部を嵌め入れる凹所で構成されており、それらの突出部、凹所のすくなくとも一方には、他方の部材を係止させる係止突部を形成している、建築用パネル取付構造。
【発明の詳細な説明】
【技術分野】
【０００１】
本発明は、壁面や天井などへ取付固定される建築用パネルのパネル間に形成される目地溝に目地部材を装着させてなる建築用パネル取付構造に関するものである。
【背景技術】
【０００２】
近年、壁面や天井などへの建築用パネルの取付施工において、隣接して取り付けた建築用パネル間に乾式の目地部材を装着して目地を構成する手法が実施されている。この種の方法では、目地部材を装着するための目地溝を均一幅に形成させるために、通例では、建築用パネルの端部の位置決めができる下地への固定取付の可能な目地受け部材が使用されている。
【０００３】
一方、建築用パネルの取付施工において、隣接する建築用パネルを接合するために、やとい実部材も一般に使用されている。この種のやとい実部材は、隣接する両パネル側に突出する２つの実部を有して、両側で建築用パネルを係合させる構造となっており、さらに施工下地に固定できる構造のものも種々提案されている（たとえば特許文献１参照）。また、同文献に記載のものは、隣設したパネル間に、表面側に露出した均一深さの目地溝が形成され、その目地溝に目地モルタルを塗り込める構造となっている。
【０００４】
さらに、この種の建築用パネル構造では、やとい実部材によって形成された目地溝に、上記のような乾式の目地部材を装着することも考えられる。
【特許文献１】特開昭５９−１５４２５３号公報
【発明の開示】
【発明が解決しようとする課題】
【０００５】
しかしながら、目地部材を、この種のやとい実部材によって形成された目地溝に装着、固定した場合、目地部材は隣設された２枚のパネルの挟着のみによって固定される構造であるため、目地部材は脱落したり、容易に取り外されたりするおそれがある。したがって、従来のこの種のやとい実部材は、目地部材を強固に装着できる目地受け部材にはなり難いという問題があった。
【０００６】
本発明は、このような事情を考慮して提案されたもので、その目的は、隣接する建築用パネル同士の間に目地を形成する建築パネルの取付構造において、建築用パネル同士の位置決めがしやすく、接合強度が高くて、施工途中のパネル安定性も高く、さらに目地部材の装着時の強度も十分に高い建築用パネル取付構造を提供することにある。
【課題を解決するための手段】
【０００７】
上記目的を達成するために、請求項１に記載の建築用パネル取付構造は、両側に実部が突設されたやとい実部材を施工下地に固定し、それぞれの実部に、隣接する建築用パネルのそれぞれの端部に形成された凹溝部を係合させて、やとい実部材の表面側で、かつ上記建築用パネルの隣接する端部間に目地溝を形成し、該目地溝に目地部材を装着してなる建築用パネル取付構造であって、やとい実部材と、目地部材とは、対向するように嵌め合わせ係合部を有しており、目地部材を目地溝より挿入して、目地部材の係合部をやとい実部の対応した係合部に嵌合させて固定させたことを特徴とする。
【０００８】
請求項２に記載の建築用パネル取付構造では、やとい実部材は目地部材の長さ寸法と略同一の長さ寸法に形成されている。
【０００９】
請求項３に記載の建築用パネル取付構造では、やとい実部材は、建築用パネルの辺縁を固定する第１のやとい実部材と、該辺縁に直交する辺縁を固定する第２のやとい実部材とを組み合わせ、第１のやとい実部材と第２のやとい実部材とを直交する方向に配列させた構造にしている。
【００１０】
請求項４に記載の建築用パネル取付構造では、嵌め合わせ係合部は、一方が突出部、他方がその突出部を嵌め入れる凹所で構成されており、それらの突出部、凹所のすくなくとも一方には他方の部材を係止する係止突部を形成している。
【発明の効果】
【００１１】
請求項１に記載の建築用パネル取付構造によれば、やとい実部材と目地部材とが対向するように嵌め合わせ係合部を有しており、目地部材を目地溝より挿入して、目地部材をやとい実部に嵌合させて固定させた構造であるため、隣接する建築用パネルはやとい実部材の実部により正確に接合され、パネルの浮き上がりが防止されるとともに、目地部材は目地受け部材として兼用されたやとい実部材に強固に固定される。また、やとい実部材を施工下地に固定する構成であるため、パネルの位置決めがしやすく、目地溝も均一な幅に形成できる。また、やとい実部材の実部でパネルを固定できる構造であるため、施工途中のパネルの安定性も図れる。
【００１２】
請求項２に記載の建築用パネル取付構造によれば、やとい実部材と目地部材との長さ寸法が略同一であるため、セット物として取り扱うことができ、現場作業、在庫管理において利便性が高い。
【００１３】
請求項３に記載の建築用パネル取付構造によれば、建築用パネルの辺縁を固定する第１のやとい実部材と、その辺縁に直交する辺縁を固定する第２のやとい実部材とを配列させて使用するようにしているため、格子状や千鳥状などの種々の配列の壁面、天井パネルに利用できる。
【００１４】
請求項４に記載の建築用パネル取付構造によれば、嵌め合わせ係合部は一方が突出部、他方がその突出部を嵌め入れる凹所で構成されているため、目地部材の挿入はしやすく、かつ、それらの突出部、凹所のすくなくとも一方に係止突部を形成しているため、両者を係合させた後は、目地部材を強固に装着できる。
【発明を実施するための最良の形態】
【００１５】
以下に、本発明の実施の形態について、添付図面を参照しながら説明する。
【００１６】
図５は、本発明の第１の実施形態である建築用パネル取付構造を使用した機能性パネル取付施工の完成例を示す斜視図である。
【００１７】
同建築用パネル取付構造は、図５に示すように、室内の壁面などに配設される機能性パネルの施工に使用される取付構造である。図例のものは、腰壁３の上方に複数の内装パネル１０を格子状に配設し、隣接する内装パネル１０、１０間に縦、横の目地部材１２が装着されている。また、複数の内装パネル１０よりなる機能性パネル全体１の最外周には、外周部に配置された内装パネル１０の端部を隠すとともに、内装パネル１０を位置決め固定するための４つの見切り部材２０が配設されている。なお、見切り部材２０が直交する隅部にはコーナーキャップ２３が取り付けられている。
【００１８】
ここで、機能性パネルとしては調湿パネル、吸音パネルなどが挙げられる。また、図例のようなパネルを配列させる構造を利用して、壁付けの収納棚や収納ボックスを構成してもよい。なお、機能性パネル全体１は天井に施工してもよく、また外装用に使用してもよい。機能性パネル全体１を構成する複数の内装パネル１０として、本例では正方形状の複数の同一寸法のものを使用し、それらを格子状に並べている。なお、このようなパネル配設例に限られず、同種のパネルを千鳥状や種々の並べ方で並べてもよく、異なる寸法、形状ものを使用してもよい。
【００１９】
また、本例で使用される目地部材１２は、水平方向のものとして複数の内装パネル１０にまたがる長目地部材１２Ｌが使用され、垂直方向のものとして内装パネル１０の一方辺（本例では縦辺）に対応させて、その一方辺と略同一の長さ寸法の短目地部材１２Ｓが使用される。なお、長目地部材１２Ｌ、短目地部材１２Ｓは縦横を逆に配設してもよい。
【００２０】
これら長目地部材１２Ｌ、短目地部材１２Ｓは、それぞれの目地部材と長さ寸法を略同一とした第２の（長）やとい実部材１１Ｌ、第１の（短）やとい実部材１１Ｓ（いずれも図５では不図示、図１、２参照）の表面側で、隣接する内装パネル１０の端部間に形成された目地溝１３（図１、２参照）に装着、固定される。なお、第２のやとい実部材１１Ｌは、施工後に表面に露出されないため、一方の見切り部材２０から対向する見切り部材２０までを複数のやとい実部材で構成してもよく、すくなくとも内装パネル１０間にまたがるようにして、第１のやとい実部材１１Ｓとスムースに交差できるような構成であればよい。
【００２１】
本発明は、目地部材１２の目地溝１３への装着構造に特徴があり、より具体的には、目地部材１２を目地溝１３に装着する際に、やとい実部材１１にも嵌め合わせ係合して固定するようにした構造に特徴がある。そのような嵌合構造について、図１、２を参照しながら説明する。
【００２２】
図１は図５のＡ−Ａ線縦断面図であり、（ａ）は長目地部材１２Ｌを長やとい実部材１１Ｌへ嵌合する前、（ｂ）は嵌合後の各断面図である。また、図２は図５のＢ−Ｂ線縦断面図であり、（ａ）は短目地部材１２Ｓを短やとい実部材１１Ｓへ嵌合する前、（ｂ）は嵌合後の各断面図である。
【００２３】
なお、長目地部材１２Ｌの長やとい実部材１１Ｌへの嵌合構造、および短目地部材１２Ｓの短やとい実部材１１Ｓへの嵌合構造は概ね同様であるため、まず共通部分を（共通の名称である目地部材１２、やとい実部材１１を使用して）説明し、次に長短で異なる構造について個別に説明する。
【００２４】
やとい実部材１１は、樹脂素材より構成されており、施工下地２に取付される取付基部１１ｂ、取付基部１１ｂの中央より表面側Ｓに立設され、表面側Ｓに凹所１１ｄＡを有した本体部１１ａ、本体部１１ａの表面側Ｓにおいて、隣接する両内装パネル１０、１０側のそれぞれへ折曲突出した実部１１ｃを備えている。本体部１１ａの両側には、この実部１１ｃと、取付基部１１ｂの基部片１１ｂ１、１１ｂ２とによって、パネル端部装着空所１１ｈが形成されている。また、本体部１１ａの両側には、目地部材１２の突出部１２ｂを凹所１１ｄＡに嵌め入れたときの本体部１１ａの両側への弾性的な撓みを考慮して、逃げ部１１ｇが形成されている。また、凹所１１ｄＡには、やとい実部材１１の長手方向に走る係止突部１１ｅ、係止受部１１ｆが形成されている。なお符号１１ｉは、ビス止めの位置決めのためのビス止め溝である。
【００２５】
係止突部１１ｅには、凹所１１ｄＡの開口両縁に設けられた係着突部１１ｅ１と、凹所１１ｄの内側面に形成された係止突起１１ｅ２とがあるが、係着突部１１ｅ１は係止受部１１ｆとともに、後述するように、目地部材１２の先端に形成した突出部１２ｂＡの係止突部１２ｃを強固に係着させるように作用する。この係着突部１１ｅ１および係止受部１１ｆは、後述する目地部材１２の係止突部１２ｃに対応させて、長手方向の全長にわたり形成することが望ましいが、係止突起１１ｅ２は部分的に形成されたものでもよい。
【００２６】
このやとい実部材１１は、一方の内装パネル１０を施工下地２（図例では壁面）に接着剤で取付固定した後、その端部１０ａに形成された凹溝部１０ｂに一方の実部１１ｃを係合させるようにしながら、一方の基部片１１ｂ２を内装パネル１０と施工下地２との間に差し込むようにして装着され、装着後は他方の基部片１１ｂ１を複数個所でビス止めして固定される。その後、隣接させる内装パネル１０の端部１０ａの凹溝部１０ｂを他方の実部１１ｃに係合させるようにして、その内装パネル１０を施工下地２に取付固定する（図１（ａ）、図２（ａ）参照）。
【００２７】
この状態では、隣接する２枚の内装パネル１０、１０は、凹溝部１０ｂより下地側Ｇの端部１０ａがパネル端部装着空所１１ｈに挿入されて位置決めされ、実部１１ｃによって接合、固定される。内装パネル１０は接着剤（不図示）で下地２に固着されるが、この実部１１ｃを有したやとい実部材１１によれば、接着剤が硬化して内装パネル１０が固着されるまでの間や、接着剤を使用せずに位置合わせなどを目的として内装パネル１０を仮施工する場合にも、内装パネル１０を仮固定しておくことができる。
【００２８】
さらに、この状態では、やとい実部材１１の本体部１１ａの表面側Ｓに、２枚のパネル端部１０ａ間によって挟まれた目地溝１３が形成され、その目地溝１３と、やとい実部材１１の凹所１１ｄＡの内方空間とより形成される連通空間によって目地部材１２の装着空間が形成される。
【００２９】
目地部材１２は、アルミ等の金属素材で構成されており、パネル端部１０ａ間の目地溝１３の幅と略同一寸法の目地本体部１２ａと、その目地本体部１２ａより下地側Ｇに突出した、やとい実部材１１の凹所１１ｄＡの幅と略同一寸法の突出部１２ｂＡとを備えている。この突出部１２ｂＡの側面には係止突部１２ｃが形成されている。
【００３０】
この目地部材１２を目地溝１３に装着すると、目地本体部１２ａが２枚の内装パネル１０の端部１０ａの間で挟着されるとともに、目地部材１２の突出部１２ｂＡが、やとい実部材１１の凹所１１ｄＡに係合される（図１（ｂ）、図２（ｂ）参照）。
【００３１】
特に、目地部材１２の突出部１２ｂＡをやとい実部材１１の凹所１１ｄＡに挿入する際には、目地部材１２の突出部１２ｂの両側面に設けた係止突部１２ｃが、やとい実部材１１の凹所１１ｄＡの開口両縁に形成した係着突部１１ｅ１を押し拡げ、凹所１１ｄの両側の本体部１１ａを弾性的に拡開させて、その後さらに挿入することで、係止突部１２ｃが凹所１１ｄ内の係止受部１１ｆに嵌まり込んで、開口両縁の係着突部１１ｅ１が弾性復帰して、両部材１１、１２の凹所１１ｄＡと突出部１２ｂＡとが強固に係着される。
【００３２】
すなわち、やとい実部材１１と目地部材１２の対向する箇所に設けた凹所１１ｄＡと突出部１２ｂＡとは、それぞれが嵌め合わせ係合部１１ｄ、１２ｂを構成し、それらの構成によって、目地部材１２はパネル端部１０ａ間の目地溝１３に強固に係着、固定される。また、凹所１１ｄＡと突出部１２ｂＡとは、嵌め合わせ係合であるとともに、係着突部１１ｅ１と係止受部１１ｆと係止突部１２ｃとによる噛み合わせ係合でもあるため、結合力はきわめて強い。
【００３３】
したがって、このような建築用パネル取付構造によれば、隣接する内装パネル１０、１０はやとい実部材１１の実部１１ｃにより正確に接合され、内装パネル１０の浮き上がりが防止されるとともに、目地部材１２は目地受け部材として兼用されたやとい実部材１１との嵌め合わせによって強固に固定される。
【００３４】
さらに、やとい実部材１１を施工下地２に固定する構成であるため、内装パネル１０の位置決めがしやすく、やとい実部材１１が隣接施工する両内装パネル１０のスペーサとして作用して、目地溝１３も均一な幅に形成できる。また、実部１１ｃで内装パネル１０を固定できる構造であるため、施工途中の内装パネル１０の取付安定性も図れる。
【００３５】
このように、目地部材１２は目地受け部材として兼用したやとい実部材１１と強固に結合されるが、目地剤の注入、硬化による目地形成と異なり、嵌め入れによる装着であるため取り外しも簡易に行え、部分的あるいは全体のパネル交換も比較的簡単に短時間で行える。
【００３６】
また、図１に示した長目地部材１２Ｌは、その表面側Ｓに、隣接する両内装パネル１０側に延びる一対の庇片１２ｄを備えている。この庇片１２ｄは、図５および後述する図３に示すように、短目地部材１２Ｓの長手方向の端部を表面側より覆い隠す機能を有するとともに、パネル端部１０ａの浮き上がりの防止機能も有している。
【００３７】
次に、図５における縦横の目地交差部Ｘの交差状態について説明する。
【００３８】
図３（ａ）は目地交差部Ｘにおいて長目地部材１２Ｌを取り外した状態、（ｂ）は長、短目地部材１２Ｌ、１２Ｓの両方を取り外した状態を示す説明図である。また図４は、目地交差部Ｘにおける、やとい実部材１１の交差状態を示す説明図である。
【００３９】
長目地部材１２Ｌを取り外した状態では、上下に隣設された内装パネル１０間の左右に走る目地溝１３には、下地２に取り付けた長やとい実部材１１Ｌの本体部１１ａの一部が凹所１１ｄとともに露出されている。長やとい実部材１１Ｌは、長目地部材１２Ｌと同様に、左右に隣設された内装パネル１０にまたがるように、長目地部材１２Ｌと長さ寸法の略同一のものが配設されている（図３（ａ）参照）。
【００４０】
さらに上下に並ぶ２つの短目地部材１２Ｓ、１２Ｓを取り外した状態では、左右に隣設された内装パネル１０間の縦方向に走る目地溝１３に、長やとい実部材１１Ｌの取付基部１１ａ、ビス止め溝１１ｈ、実部１１ｃを含む部材の全幅が表れており、さらに縦方向に走る目地溝１３には、長やとい実部材１１Ｌに直交する方向に、長やとい実部材１１Ｌを挟んで上下に配設された短やとい実部材１１Ｓの本体部１１ａの一部が凹所１１ｄとともに露出されている（図３（ｂ）参照）。短やとい実部材１１Ｓは、内装パネル１０の縦片に対応させたもので、長やとい実部材１１Ｌの幅寸法を考慮して、長さ寸法が内装パネル１０の縦片よりもやや短いものを使用することが望ましい。
【００４１】
さらに、交差部に隣接する４枚の内装パネル１０をすべて取り外した状態では、長やとい実部材１１Ｌ、短やとい実部材１１Ｓともに、取付基部１１ｂの一方辺１１ｂ１の端部から他方辺１１ｂ２の端部までが露出される（図４参照）。なお、位置決めを容易にするために、短やとい実部材１１Ｓは図例のように、すくなくとも下端が長やとい実部材１１Ｌの側端に当接するように取り付けることが望ましい。
【００４２】
ついで、図５に示した見切り部材２０と内装パネル１０との接合について説明する。
【００４３】
図６は、見切り部材２０の内装パネル１０との接合状態を示した要部縦断面図である。
【００４４】
見切り部材２０は、ベース部材２１とカバー部材２２とよりなり、これらを結合させて内装パネル１０の端部１０ａを係合保持する構造となっている。ベース部材２１は樹脂、カバー部材２２はアルミ等の金属で製されている。
【００４５】
ベース部材２１は、取付基部２１ｂと、カバー部材２２を嵌合させる嵌合凹所２１ｄを有した本体部２１ａと、その本体部２１ａの表面側Ｓより内装パネル１０側に延出させた、内装パネル１０の端部１０ａに形成された凹溝部１０ｂを係合するための実部２１ｃとを有した構造とされる。
【００４６】
一方、カバー部材２２は、内装パネル１０の端部１０ａの表面を隠すように形成された本体部２２ａと、その本体部２２ａから折曲して下地側に延出された側端カバー片２２ｂと、側端カバー片２２ｂの略中央より内装パネル１０側に突出した嵌合片２２ｃとを有した構造とされる。この嵌合片２２ｃには、下地側Ｇに突出した嵌合突起２２ｄが形成されている。ベース部材２１とカバー部材２２とは、カバー部材２２の嵌合突起２２ｄがベース部材２１の嵌合凹所２１ｄに嵌め入れられて連結される。
【００４７】
また、２０ａは、カバー部材２２をベース部材２１に嵌め合わせたときに、ベース部材２１の本体部２１ａの撓みを逃がす逃げ空間であるとともに、釘（不図示）を斜め打ちして下地２へ固着するための釘打ち部である。
【００４８】
図７、８は、内装パネル１０の取付施工手順の一例を示す正面図である。なお、説明の都合上、本図例に示した内装パネル１０には、内装パネル１０の取付順にしたがって、取付順を示した番号（＃ｎ）を付している。また、見切り部材２０（ベース部材２１とカバー部材２２）についても、左、下、右、上に対応させた番号（＃１）〜（＃４）を付している。
【００４９】
まず、内装パネル１０の施工対象である施工下地２に、パネル全面の左端と下端に対応した縦、横のベース部材２１（＃１）、２１（＃２）を取り付ける（図７（ａ））。次に、縦、横のベース部材２１（＃１）、２１（＃２）で形成された左下の下地に最初の内装パネル１０（＃１）を取り付け、その内装パネル１０（＃１）の右端部に、短やとい実部材１１の取付基部１１ｂのビス止め溝１１ｉが形成されていない基部片１１ｂ２を、内装パネル１０（＃１）と下地２の間に差し込むようにして、短やとい実部材１１Ｓをビス止めなどで取付固定する（図７（ｂ））。
【００５０】
さらに、取付された短やとい実部材１１Ｓの取付基部１１ｂの他方の基部片１１ｂ１を隠すように、次の内装パネル１０（＃２）を取り付けた後、隣設された２枚の内装パネルの上端部に沿って、長やとい実部材１１Ｌの取付基部１１ｂのビス止め溝１１ｉが形成されていない基部片１１ｂ２を２枚の内装パネル１０（＃１）、１０（＃２）と下地２の間に差し込むようにして、長やとい実部材１１Ｌをビス止めなどで取付固定する（図７（ｃ））。
【００５１】
同様に、内装パネル１０（＃３）〜１０（＃６）を２枚ずつ積み重ねるようにしてすべての内装パネル１０を取付固定し、パネル全面の右端と上端に対応した縦、横のベース部材２１（＃３）、２１（＃４）を取り付ける（図７（ｄ））。
【００５２】
４周のベース部材２１と、すべての内装パネル１０とが固定された後に、３つの短目地部材１２Ｓを上下に走る目地溝１３に順に嵌め入れ（図８（ａ））、左右に走る目地溝１３に２つの長目地部材１２Ｌを順に嵌め入れる（図８（ｂ））。
【００５３】
次に、４周の見切り部材２０（＃１）〜２０（＃４）に対応したそれぞれのカバー部材２２（＃１）〜２２（＃４）を、対応した各ベース部材２１に装着し（図８（ｃ））、最後に、４隅にコーナーキャップ２３を取り付ける（図８（ｄ））。
【００５４】
図９は、本発明の第２の実施形態の建築用パネル取付構造を示す要部縦断面図で、（ａ）は目地部材をやとい実部材へ装着する前、（ｂ）は嵌着後を示す各断面図である。
【００５５】
本実施形態に示した建築用パネル取付構造は、目地部材１２とやとい実部材１１の各嵌め合わせ構造が第１の実施形態に示したものと異なる。
【００５６】
すなわち、本実施形態のやとい実部材１１は、本体部１１ａの表面側Ｓに、突出部１１ｄＢによって構成された嵌め合わせ係合部１１ｄが備えており、一方、目地部材１２は、本体部１２ａの下地側Ｇに、凹所１２ｂＢによって構成された嵌め合わせ係合部１２ｂを備えている。
【００５７】
この目地部材１２は、目地部材１２の凹所１２ｂＢをやとい実部材１１の突出部１１ｄＢに被せるようにして、目地溝１３に装着される。
【００５８】
その際、やとい実部材１１の突出部１１ｄＢの両側面に設けた係止突部１１ｅが、目地部材１２の凹所１２ｂＢの開口両縁に形成した係止突部１２ｃを弾性的に拡開させて、その後さらに挿入することで、係止突部１１ｅが凹所１２ｂＢ内の係止受部１２ｅに嵌まり込んで、開口両縁の係止突部１２ｂＢが弾性復帰して、両部材１１、１２の突出部１１ｄＢと凹所１２ｂＢとは強固に係止される。
【００５９】
すなわち、やとい実部材１１と目地部材１２の対向するそれぞれの箇所に設けた突出部１１ｄＢと凹所１２ｂＢとは、それぞれが嵌め合わせ係合部１１ｄ、１２ｂを構成し、それによって、目地部材１２はパネル端部１０ａ間に強固に固定される。
【００６０】
また、本実施形態に示したやとい実部材１１および目地部材１２は、第１の実施形態に示した例と同様に、長さ寸法を略同一にし、かつ建築用パネルの辺縁を固定する第１の部材と、その辺縁に直交する辺縁を固定する第２の部材とを組み合わせ、それぞれを直交する方向に配列させるように使用できる。
【００６１】
なお、第１の実施形態と同一の構成については、同一の符号を付して、その説明は省略する。
【００６２】
以上の２つの実施形態では、施工後に表面側Ｓに露出する目地部材１２、カバー部材２２の素材をアルミ等の金属とし、下地側Ｇに固定されるやとい実部材１１、ベース部材２１の素材を樹脂とした例を示したが、これとは逆の構成でもよく、またいずれも金属、あるいはいずれも樹脂で形成されたものでもよい。
【図面の簡単な説明】
【００６３】
【図１】本発明の第１の実施形態の建築用パネル取付構造の要部縦断面図で、（ａ）は長目地部材を第２のやとい実部材へ装着する前、（ｂ）は装着後を示す。
【図２】本発明の第１の実施形態の建築用パネル取付構造を示す図で、（ａ）は短目地部材を第１のやとい実部材へ装着する前、（ｂ）は装着後を示す。
【図３】（ａ）は長目地部材を取り外した状態、（ｂ）は長、短目地部材の両方を取り外した状態を示した各説明図である。
【図４】第２のやとい実部材と第１のやとい実部材が交差する部分の構造を示した説明図である。
【図５】本発明の第１の実施形態である建築用パネル取付構造を使用した機能性パネル取付施工の完成例を示す斜視図である。
【図６】見切り部材の建築用パネルとの接合状態を示した要部縦断面図である。
【図７】（ａ）〜（ｄ）は建築用パネルの施工手順（前半）の説明図である。
【図８】（ａ）〜（ｄ）は建築用パネルの施工手順（後半）の説明図である。
【図９】本発明の第２の実施形態の建築用パネル取付構造を示す要部縦断面図で、（ａ）は目地部材をやとい実部材へ装着する前、（ｂ）は嵌着後を示す。
【符号の説明】
【００６４】
１      機能性パネル全体
２      施工下地
１０      内装パネル（建築用パネル）
１０ａ      端部
１０ｂ      凹溝部
１１      やとい実部材、目地受け部材
１１Ｌ      長やとい実部材（第２のやとい実部材）
１１Ｓ      短やとい実部材（第１のやとい実部材）
１１ａ      本体部
１１ｂ      取付基部
１１ｃ      実部
１１ｄ      嵌め合わせ係合部
１１ｄＡ      凹所（第１の実施形態）
１１ｄＢ      突出部（第２の実施形態）
１１ｅ      係止突部
１１ｅ１      係着突部
１１ｅ２      係止突起
１１ｆ      係止受部
１１ｇ      逃げ部
１２      目地部材
１２Ｌ      長目地部材
１２Ｓ      短目地部材
１２ａ      目地本体部
１２ｂ      嵌め合わせ係合部
１２ｂＡ      突出部（第１の実施形態）
１２ｂＢ      凹所（第２の実施形態）
１２ｃ      係止突部
１３      目地溝
２０      見切り部材
２１      ベース部材
２２      カバー部材
Ｓ      表面側
Ｇ      下地側
【図１】
2009191528.tif 000003
【図２】
2009191528.tif 000004
【図３】
2009191528.tif 000005
【図４】
2009191528.tif 000006
【図５】
2009191528.tif 000007
【図６】
2009191528.tif 000008
【図７】
2009191528.tif 000009
【図８】
2009191528.tif 000010
【図９】
2009191528.tif 000011